(57)【特許請求の範囲】
【請求項１】
平板状ブロックに吸湿材収納容器を取付けた吸湿ユニットと、平板状ブロックの内側に吸排気動作を表示するインジケーターを取付けたインジケーターユニットと、ブロックの内側にフィルターを設けたフィルターユニットとからなる各ユニットを連結して、連通した流路を構成する吸湿呼吸器であって、各ユニットはブロックの側面に連結金具を設けてカセット式に着脱自在に連結され、前記吸湿ユニットはブロックの上下面に開口する一対の通気孔に連通して吸湿材収納容器を設け、前記インジケーターユニットはブロックの上下面に開口する一対の通気孔に連通する窓部を有する中空部に、通気方向を表示するインジケーターを設け、前記フィルターユニットはブロックの上面に開口した通気孔と外気の通気口との間にフィルター材を設けたことを特徴とする吸湿呼吸器。
【請求項２】
インジケーターユニットの中空部に設けた通気方向を表示するインジケーターは、通気路に薄い片を回動自在に導気方向により回動方向が異なるように支持したことを特徴とする請求項１記載の吸湿呼吸器。
【請求項３】
吸湿ユニット及びインジケーターユニットのブロックは、その上下面の対の通気孔開口部が、突設した通気管と、この突設した通気管が嵌合可能なソケットの対であることを特徴とする請求項１記載の吸湿呼吸器。
【発明の詳細な説明】
【０００１】
【発明の属する技術分野】
本発明は、変圧器やリアクトルなどの油入電気機器が、温度変化に応じて呼吸作用を行なうコンサベーターの出入口に取付けられる吸湿呼吸器の改良に関するものである。
【０００２】
【従来の技術】
一般に、変圧器やリアクトルなどの油入電気機器は、運転状態の変化や、外気温度により、タンク内部に封入した絶縁油の温度が変化し、その体積も膨張収縮を繰り返し行なっている。この絶縁油の体積変化を吸収するためタンク内部の空気を出し入れする呼吸装置が設けられている。この場合、呼吸作用によりタンク内に吸引される空気に含まれるゴミや湿度を除くために吸湿呼吸器が設けられ絶縁油の吸湿劣化を防止している。
【０００３】
従来の吸湿呼吸器の構造は例えば図７に示すように、収納容器１に吸湿剤となるシリカゲル２を収納した吸湿器３の下に、油４を入れたガラス製の呼吸器５を取付けた構造をなしている。これは外気が油つぼホルダー６と油つぼ７との間から流入し、油つぼ７内の油４を通って、ここでゴミなどを除去した後、呼吸筒８から上部の収納容器１に入る。次にこの収納容器１内に詰めたシリカゲル２と接触して水分が除去され、乾燥した空気がフランジ９を通ってタンク内のコンサベーターに流れるようになっている。
【０００４】
この吸湿呼吸器の動作状態を確認するため、呼吸器５はガラスで作られ、油つぼ７に入れた油４に発生する気泡の状態を外部から目視して確認している。しかしながら空気中に浮遊しているゴミなどを捕集した油４は次第に汚れてくるため、気泡の発生状態が確認しにくくなり、この場合には油４を新しいものに交換する必要がある。
【０００５】
また収納容器１に詰めたシリカゲル２は、湿度を吸収してくると青色からピンク色に変わり、これを収納容器１の側面に設けた覗き窓10から確認して、その劣化状態を観察して交換している。交換する場合、収納容器１の底部に取付けた取出しキャップ11を外すと内部のシリカゲル２が落下する。次にこの取出しキャップ11を嵌めてから収納容器１の上部に取付けた充填キャップ12を外して、ここから新しいシリカゲル２や湿度を除去して再生したシリカゲル２を充填する。また呼吸器５の油４が汚れてきたときには、油つぼホルダー６から油つぼ７を取外して汚れた油４を新しいものに交換する。
【０００６】
しかしながら従来の吸湿呼吸器は、シリカゲル２の交換作業が面倒であり、しかも雨の中で交換すると、作業中に新しいシリカゲル２が吸湿して劣化してしまう問題がある。また呼吸器５の汚れた油４を交換する作業が面倒である上、廃棄する油４の処理も公害上問題があった。
【０００７】
【発明が解決しようとする課題】
本発明は上記欠点を除去し、吸湿容器をカセット式にして吸湿剤の交換作業を容易にすると共に吸湿剤の容量調整を簡単に行なえ、また呼吸器はフィルターとインジケーターとに分離して油を使用せず、交換作業性を向上させた吸湿呼吸器を提供するものである。
【０００８】
【課題を解決するための手段】
本発明の請求項１記載の吸湿呼吸器は、平板状ブロックに吸湿材収納容器を取付けた吸湿ユニットと、平板状ブロックの内側に吸排気動作を表示するインジケーターを取付けたインジケーターユニットと、ブロックの内側にフィルターを設けたフィルターユニットとからなる各ユニットを連結して、連通した流路を構成する吸湿呼吸器であって、各ユニットはブロックの側面に連結金具を設けてカセット式に着脱自在に連結され、前記吸湿ユニットはブロックの上下面に開口する一対の通気孔に連通して吸湿材収納容器を設け、前記インジケーターユニットはブロックの上下面に開口する一対の通気孔に連通する窓部を有する中空部に、通気方向を表示するインジケーターを設け、前記フィルターユニットはブロックの上面に開口した通気孔と外気の通気口との間にフィルター材を設けたことを特徴とするものである。
【０００９】
請求項１記載の吸湿呼吸器は、フィルターユニットと、吸湿ユニットおよびインジケーターユニットを各ブロックに取付けた連結金具で連結して、各ユニットを直列に接続する。このように組立てから、変圧器やリアクトルのコンサベーターに接続して運転する。変圧器やリアクトルの温度が下がるとコンサベーター内の絶縁油の液面が低下して内部が負圧になると、フィルターユニットの通気口から外気が吸い込まれ、フィルターで細かいゴミなどが捕集される。
【００１０】
ゴミが除去された空気は、吸湿ユニットの通気孔から、吸湿剤収納容器内に流入し内部の吸湿剤と接触して湿度が除かれた後、乾燥した空気はインジケーターユニットの中空部に入り、ここを通過する風量に応じて位置を変える変動部が移動して、この移動状態を覗き窓から目視することにより動作を確認することができる。また吸湿剤収納容器内に詰めた吸湿剤が吸湿して変色した時には、カセット式に吸湿ユニットだけ取外して交換すれば良い。
【００１１】
また請求項２記載の吸湿呼吸器は、インジケーターユニットの中空部に設けた通気方向を表示するインジケーターが、通気路に薄い片を回動自在に導気方向により回動方向が異なるように支持したことを特徴とするもので、僅かな風量で変動し、その風量や方向を確認することができる。
【００１２】
また請求項３記載の吸湿呼吸器は、吸湿ユニット及びインジケーターユニットのブロックは、その上下面の対の通気孔開口部が、突設した通気管と、この突設した通気管が嵌合可能なソケットの対であることを特徴とするもので、吸湿ユニット及びインジケーターの通気管とソケットにより着脱自在に嵌合して一体に連結できる。
【００１３】
【発明の実施の形態】
以下本発明の実施の一形態を図１ないし図６を参照して詳細に説明する。図において15は吸湿ユニットで、連結金具16で上下に２個連結されており、この下部にフィルターユニット17が連結金具16で連結され、上部にインジケーターユニット18が連結金具16で連結され、更にこのインジケーターユニット18の上部にフランジ９が接続されて、カセット式に直列に接続されている。
【００１４】
前記吸湿ユニット15は図２に拡大して示すように、プラスチックで四角平板状に形成されたブロック20の左右側面の上部側に、連結金具16のレバー式の掛けリング16ａが取付けられ、左右側面の下部側に、前記レバー式の掛けリング16ａに連結される爪フック16ｂが取付けられている。またブロック20の前面には、透明なプラスチックで円筒状に形成された吸湿剤収納容器21が突設されている。
【００１５】
この吸湿剤収納容器21の内部構造は図５に示すように長い外筒22と短い内筒23の二重管構造に形成され、外筒23の先端にキャップ25が被せられ、このキャップ25側で外筒22と内筒23との間の空間部と、内筒23の内側空間部が連通している。またこの両空間部のブロック20側には、ネット26、26が取付けられ、空間部に詰めたシリカゲル２が流出しないようになっている。またブロック20の内部には縦方向に沿って２本の通気孔27ａ、27ｂが開孔され、一方の通気孔27ａの下端部は内筒23に連通し、上端部に通気管28が突設されている。
【００１６】
またブロック20の前面の外筒22に囲まれた部分には、これと連通するリング状空間部30が設けられ、これはブロック20内の下部側に設けた他方の通気孔27ｂの先端に連通している。また通気孔27ｂの下端にはソケット部31が設けられ、ここに隣接するユニットに突設した通気管28が嵌合するようになっている。また図２に示すようにブロック20の上面の通気管28の横にはガイドピン32が突設され、ブロック20の底面には図３と同様にガイドピン32が嵌合するガイド孔33が開孔されている。
【００１７】
また前記インジケーターユニット18は、図３に示すようにプラスチックで四角平板状に形成されたブロック20の左右側面の下部側に、連結金具16の爪フック16ｂ、16ｂが取付けられている。またブロック20の内部には前面が開口した中空円筒部34が設けられ、ここに連通して上下に通気孔27ａ、27ｂが開孔され、この端部に夫々ソケット部31、31が設けられている。前記中空円筒部34の中心には軸29が突設され、ここに仕切板35が水平に設けられていると共に、薄いプラスチックで形成されたフラッパー36が回動自在に取付けられ、風量に応じて回動するようになっている。また中空円筒部34の前面には、図５に示すようにガラス板が取付けられて覗き窓37が形成され、フラッパー36の回動状態を外部から確認できるようになっている。
【００１８】
また前記フィルターユニット17は、図４に示すように容器の下部に通気口38を開口して平板状に形成されたブロック39の側面上部に連結金具16のレバー式の掛けリング16ａを取付けると共に、ブロック39の通気口38側に虫よけ用のパンチングメタル40を取付け、この上部の空間に細かい網目の金網を折り畳んだフィルター41が詰められている。またブロック39の上部には空間部と連通する通気管28が突設されていると共に、この横にガイドピン32が突設されている。
【００１９】
上記構成の吸湿呼吸器を組立てる場合は、図６に示すように先ずフィルターユニット17の通気管28を、吸湿ユニット15のブロック20の底面に設けたソケット部31に嵌合すると共に、フィルターユニット17のガイドピン32をガイド孔33に嵌合して位置決めした後、図１に示すようにフィルターユニット17のレバー式の掛けリング16ａを、吸湿ユニット15の側面下部に設けた爪フック16ｂに係合させて連結する。
【００２０】
次に下段の吸湿ユニット15に突設した通気管28を、図６に示すように上段に配置する吸湿ユニット15のソケット部31に嵌合させ、同様にレバー式の掛けリング16ａと爪フック16ｂを係合させて連結する。この後、上段の吸湿ユニット15に突設した通気管28をインジケーターユニット18の底面に設けたソケット部31に嵌合させてから、レバー式の掛けリング16ａと爪フック16ｂを係合させて各ユニットを直列に連結してから、フランジ９をインジケーターユニット18の上部ソケット部31に嵌合して組立てる。
【００２１】
この状態で変圧器45のコンサベーター43に接続して運転する。変圧器45の温度が下がるとコンサベーター43内の絶縁油44の液面が低下して内部が負圧となる。この結果、フィルターユニット17の通気口38から外気が吸い込まれ、コンサベーター43内は大気圧になる。この時、フィルターユニット17の通気口38から内部に吸い込まれた空気は、細かい網目の金網を折り畳んだフィルター41で細かいゴミなどが捕集される。
【００２２】
ゴミが除去された空気は、下段に配置した吸湿ユニット15の通気孔27ｂから、リング状空間部30を経て外筒22と内筒23との間の空間部に流入し、ここに詰められてシリカゲル２と接触して湿度が除かれる。更に外側の空間部から内筒23の空間部を通過して、ここでもシリカゲル２と接触するので、接触面積が大きく効率よく湿度が除かれる。この後、通気孔27ａを通って、上段に配置した吸湿ユニット15の通気孔27ｂに導かれ、同様に吸湿剤収納容器21内のシリカゲル２で湿度が除去される。
【００２３】
上段の吸湿ユニット15を通過した乾燥した空気は、インジケーターユニット18の通気孔27ｂから中空円筒部34に入り、ここで図３に示すように仕切板35で遮られて矢印方向に回転し、仮想線で示すようにフラッパー36ａが右回りに回動して持ち上げられた状態となる。
【００２４】
この結果、覗き窓37から内部のフラッパー36の変動角度を見れば、吸湿呼吸器が正常に動作していることが確認できるだけでなく、通過する風量や、吸引か排気かも分かる。すなわち静止している状態では、フラッパー36は自重により垂直に垂れ下がっているが、吸引の場合には右回転方向に回動してフラッパー36ａの方向に傾斜し、また排気の場合には左回転方向に回動してフラッパー36ｂの方向に傾斜する。
【００２５】
また外気を吸引することにより吸湿ユニット15の吸湿剤収納容器21内に詰めたシリカゲル２は青色からピンク色に変わる。これは流入側から順次変色していくので、先ず下段の吸湿ユニット15が変色してから、上段の吸湿ユニット15が変色していく。このため点検に来た時に、下段の吸湿ユニット15だけが変色している場合にはこれだけを交換し、両方の場合には２個とも交換する。
【００２６】
交換する場合には、連結金具16を外して各ユニットの通気管28をソケット部31から抜けば分解でき、新しい吸湿ユニット15との交換も容易に行うことができる。従って図７に示す従来の吸湿呼吸器のように現場で収納容器１からシリカゲル２だけを抜き取る必要がなく、吸湿ユニット15の全体をカセット式に交換できるので雨の中でも作業することができる。
【００２７】
また呼吸器は、フィルターユニット17とインジケーターユニット18に分離したカッセト式であり、従来の呼吸器のように油４を使用しなくても十分にゴミを捕集でき、またフィルター41で捕集できなかった細かいゴミは、流速の遅くなる吸湿剤収納容器21内でほとんど捕集できるのでコンサベーター43内に流入することはない。
【００２８】
またフィルター41で捕集されたゴミは、点検時にブロック39を手で叩けば通気口38から落下して容易に除去することができる。従って従来の呼吸器５のように油４を使用しないので、この交換作業や廃油処理も不要で、しかも油の劣化による呼吸作用の確認が不可能になる問題もなく、長期間に亘って安定した捕集作用と呼吸作用を行うことができる。
【００２９】
なお上記説明では吸湿ユニット15を上下二段に接続した場合について示したが、一段または三段以上組合わせてもよい。また吸湿剤はシリカゲル２に限らず粒状の吸湿剤であれば他のものを用いてもよい。またインジケーターユニット18は最上段に配置した構造に限らず、フィルターユニット17の上や、吸湿ユニット15、15の間に介在させても良い。
【００３０】
またインジケーターユニット18の中空円筒部34に設けた風量に応じて位置を変える変動部は、フラッパー36に限らず、風車回転式や、テープや糸を吊り下げた構造でも良い。またフラッパー36の近傍に、光スイッチを設けてフラッパー36の動きを検知すれば、変圧器45から離れた制御室でも吸湿呼吸器の動作を遠隔で確認することもできる。
【００３１】
【発明の効果】
以上説明した如く本発明に係る請求項１記載の吸湿呼吸器によれば、フィルターユニットと、吸湿ユニットおよびインジケーターユニットに分離して作成し、これらを着脱自在に直列に組合せてカセット式に接続したもので、吸湿剤の交換もワンタッチで行え、また吸湿ユニットの接続個数を変えることにより吸湿剤の容量調整を簡単に行なうことができる。また呼吸器はフィルターユニットとインジケーターユニットとに分離した油を使用しない構造なので、油の劣化による動作確認の問題や、油の交換、廃油処理など公害上の問題もない。
【００３２】
また請求項２記載の吸湿呼吸器は、インジケーターユニットの中空部に設けた通気方向を表示するインジケーターは、通気路に薄い片を回動自在に導気方向により回動方向が異なるように支持したので、僅かな風量で変動し、その風量や方向を容易に目視によって確認することができる。
【００３３】
更に請求項３記載の吸湿呼吸器は、吸湿ユニット及びインジケーターユニットのブロックは、その上下面の対の通気孔開口部が、突設した通気管と、この突設した通気管が嵌合可能なソケットの対であることを特徴とするもので、吸湿ユニット及びインジケーターの通気管とソケットにより着脱自在に嵌合して一体に連結できると共に、吸湿ユニットの取付け個数や、インジケーターユニットの取付位置を任意に変更することができる。
【図面の簡単な説明】
【図１】本発明の実施の一形態による吸湿呼吸器の斜視図である。
【図２】図１に示す吸湿ユニットを示す斜視図である。
【図３】図１に示すインジケーターユニットを示す断面図である。
【図４】図１に示すフィルターユニットを示す断面図である。
【図５】図１に示す吸湿呼吸器を各ユニットに分解した状態を示す断面図である。
【図６】図１に示す吸湿呼吸器をコンサベーターに接続した状態を示す断面図である。
【図７】従来の油入り吸湿呼吸器を示す断面図である。
【符号の説明】
１    収納容器
２    シリカゲル
３    吸湿器
４    油
５    呼吸器
７    油つぼ
９    フランジ
15    吸湿ユニット
16    連結金具
17    フィルターユニット
18    インジケーターユニット
20    ブロック
21    吸湿剤収納容器
22    外筒
23    内筒
27ａ  通気孔
27ｂ  通気孔
28    通気管
31    ソケット部
34    中空円筒部
36    フラッパー
37    覗き窓
38    通気口
39    ブロック
41    フィルター
43    コンサベーター
44    絶縁油
45    変圧器
【図１】
0003983839.tif 000002
【図２】
0003983839.tif 000003
【図３】
0003983839.tif 000004
【図４】
0003983839.tif 000005
【図５】
0003983839.tif 000006
【図６】
0003983839.tif 000007
【図７】
0003983839.tif 000008